(57)【特許請求の範囲】
【請求項１】
導電性フレーム（８）が埋設された樹脂基板（５）に一体に端子台（４）を設けた端子盤であって、上記樹脂基板（５）に段部（１０）を設けて高位部（１１）と低位部（１２）を形成し、この高位部（１１）の段部（１０）近傍から、この高位部（１１）と段部（１０）とで構成するコーナ部（３５）に至る範囲において、上記導電性フレーム（８）を露出させた電線接続用の端子台（４）を設けたことを特徴とする端子盤。
【請求項２】
上記端子台（４）を、低位部（１２）に向うに従って端子盤支持面から離間させたことを特徴とする請求項１の端子盤。
【請求項３】
上記低位部（１２）に、導電性フレーム（８）を露出させた電線接続用の端子台（４）を設けると共に、少なくともこの低位部（１２）側の端子台（４）の周りに仕切る壁（１７）を立設し、高位部（１１）側の端子台（４）の上記低位部（１２）表面からの高さを、この低位部（１２）側の端子台（４）の仕切り壁（１７）高さ以上としたことを特徴とする請求項１又は請求項２の端子盤。
【請求項４】
上記請求項１〜請求項３のいずれかの端子盤を用い、電線接続用の端子台（４）が鉛直面に対して下方ほど外方へと傾斜するように配置したことを特徴とする電装品箱。
【請求項５】
側方に開口部（２８）を有し、その開口部（２８）が上記請求項１〜請求項３のいずれかの端子盤にて塞がれる電装品箱であって、上記端子盤（３）の電線接続用の端子台（４）を外方側に向けて配置すると共に、この端子台（４）を鉛直面に対して下方ほど外方へと傾斜させたことを特徴とする電装品箱。
【発明の詳細な説明】
【０００１】
【発明の属する技術分野】
この発明は、空気調和装置の室外機等に使用される端子盤及び電装品箱に関するものである。
【０００２】
【従来の技術】
空気調和装置は、一般には室外機と室内機とを備えている。そして、室外機５１には、図１３に示すように、電装品箱５０が収納（内装）され、この電装品箱のプリント基板の電装品（図示省略）と、室内機の電装品箱の電装品（図示省略）とを接続するために、電装品箱５０の側端部に端子台５２が設けられている。また、近年では、１台の室外機５１に対して複数台の室内機を備えたいわゆるマルチタイプの空気調和装置が普及してきた。
【０００３】
すなわち、例えば、１機の室外機５１に対して、３機の室内機を有する空気調和装置では、図１４に示すように、電装品箱５０に付設される端子盤５３に複数（この場合４個）の端子台５２・・が設けられ、イの端子台５２がＡの室内機に接続され、ロの端子台５２がＢの室内機に接続され、ハの端子台５２がＣの室内機に接続され、ニの端子台５２が電源に接続される。そして、イ、ロ、ハの各端子台５２からは１本の配線５４が室外機５１のプリント基板に接続される。さらに、ニの端子台５２からは２本の配線５６、５６がハの端子台５２に接続され、このハの端子台５２からは２本の配線５７、５７がロの端子台５２に接続され、このロの端子台５２からは２本の配線５８、５８にてイの端子台５２に接続されている。
【０００４】
【発明が解決しようとする課題】
このように、複数個の端子台５２を必要とする場合、端子盤５３に複数個の端子台５２を設け、これらに配線（ハーネス）にて電気的接続を行う必要があった。そして、端子台の電線接続面は一般には鉛直面に沿うものであり、端子台５２が多くなると作業（結線作業）が困難であり、端子台５２が多いほど作業性に劣っていた。また、端子台やハーネス等の部材（部品）が多くコスト高となっていた。さらに、別部材である端子台５２を使用するので、取付けることができる端子台５２の数が制限されることになり、複数の室内機に対応させるのが困難であった。しかも、電線（ハーネス）を引き回すことによって、ノイズの伝播経路が拡大するという問題もあった。
【０００５】
この発明は、上記従来の欠点を解決するためになされたものであって、その目的は、電線（ハーネス）接続作業を容易に行うことができ、しかも接点（ハーネス接点）の信頼性の向上を図ることが可能な端子盤及び電装品箱を提供することにある。
【０００６】
【課題を解決するための手段】
そこで請求項１の端子盤は、導電性フレーム８が埋設された樹脂基板５に一体に端子台４を設けた端子盤であって、上記樹脂基板５に段部１０を設けて高位部１１と低位部１２を形成し、この高位部１１の段部１０近傍から、この高位部１１と段部１０とで構成するコーナ部３５に至る範囲において、上記導電性フレーム８を露出させた電線接続用の端子台４を設けたことを特徴としている。
【０００７】
上記請求項１の端子盤では、樹脂基板５の導電性フレーム８を露出させることによって、電線接続用の端子台４を形成するものであるので、端子台４をこの樹脂基板５に対して別部材として形成する必要がなく、この端子台４の取付け作業を省略することができる。また、樹脂基板５に段部１０を設けて高位部１１と低位部１２を形成し、この高位部１１の段部１０近傍に端子台４を設けるので、電線（ハーネス）をこの端子台４に接続する場合、低位部１２にこの電線１８に樹脂被覆部２４を対応させることができ、これによって、この樹脂被覆部２４から露出している先端導体部１９を直線状に維持することができ、先端導体部１９を端子台４に対していわゆる面接触で接続することができる。また、樹脂基板５内に導電性フレーム８が埋設されることにより、この端子盤に接続される電線の短縮化(短ハーネス化)を達成することができる。さらに、高位部１１と段部１０とで構成するコーナ部３５においても導電性フレーム８を露出させるものであるので、端子台４の電線接続面（高位部１１に対応する導電性フレーム露出面）に樹脂が入り込まず、端子台４と電線との接続性の向上を図ることができる。すなわち、この端子盤を製造する場合、導電性フレーム８を樹脂被覆するものであって、コーナ部３５においても導電性フレーム８を露出させない場合、樹脂被覆成形時に樹脂が導電性フレーム８の露出面に流れ込むおそれがあるのに対し、コーナ部３５においても導電性フレーム８を露出させるものでは、樹脂被覆成形時に段部１０から低位部１２に至る樹脂被覆部の樹脂が上記導電性フレーム８の露出面に達するのを防止することができる。
【０００８】
請求項２の端子盤は、上記端子台４を、低位部１２に向うに従って端子盤支持面から離間させたことを特徴としている。
【０００９】
上記請求項２の端子盤では、端子台４は、低位部１２に向うに従って端子盤支持面から離間するものであるので、例えば、この端子盤をその支持面が鉛直面となるように配置した場合、端子台４はこの鉛直面に対して傾斜することになり、電線を端子台４に接近させやすくなって、結線作業性の向上を図ることができる。
【００１２】
請求項３の端子盤は、上記低位部１２に、導電性フレーム８を露出させた電線接続用の端子台４を設けると共に、少なくともこの低位部１２側の端子台４の周りに仕切る壁１７を立設し、高位部１１側の端子台４の上記低位部１２表面からの高さを、この低位部１２側の端子台の仕切り１７壁高さ以上としたことを特徴としている。
【００１３】
上記請求項３の端子盤では、端子台４を高位部１１と低位部１２との２段に形成することができ、この端子盤に複数の端子台４を設けることができ、いわゆるマルチタイプの空気調和機に対応することができる。また、高位部１１側の端子台４の上記低位部１２表面からの高さを、低位部１２側の端子台４の仕切り壁１７高さ以上としているので、高位部１１側の端子台４に電線１８（ハーネス）を接続する際、この低位部１２側の端子台４の仕切り壁１７が邪魔にならない。すなわち、電線１８を折り曲げることなく接続することができる。
【００１４】
請求項４の電装品箱は、上記請求項１〜請求項３のいずれかの端子盤を用い、電線接続用の端子台４が鉛直面に対して下方ほど外方へと傾斜するように配置したことを特徴としている。
【００１５】
上記請求項４の電装品箱では、電線接続用の端子台４が鉛直面に対して下方ほど外方へと傾斜しているので、電線を端子台４に接近させやすくなって、結線作業性の向上を図ることができる。
【００１６】
請求項５の電装品箱は、側方に開口部２８を有し、その開口部２８が上記請求項１〜請求項３のいずれかの端子盤にて塞がれる電装品箱であって、上記端子盤３の電線接続用の端子台４を外方側に向けて配置すると共に、この端子台４を鉛直面に対して下方ほど外方へと傾斜させたことを特徴としている。
【００１７】
上記請求項５の電装品箱では、側方に開口部２８を有するので、この開口部２８を介して、内部作業を行うことができる。ここで、内部作業とは、電線（ハーネス）のコネクタ脱着作業、部品や基板導体パターンの外観確認作業、温度の測定作業、計測器への接続作業等である。しかも、端子台４を鉛直面に対して下方ほど外方へと傾斜させているので、端子台４に対する結線作業性も優れる。
【００１８】
【発明の実施の形態】
この発明の端子盤の具体的な実施の形態について、図面を参照しつつ詳細に説明する。図１は端子盤の簡略断面図である。この端子盤は、図２に示すように、空気調和機の室外機１の電装品箱２に使用される。この空気調和機は、上記室外機１と、図示省略の室内機とを備え、冷暖房運転等を行うものである。
【００１９】
すなわち、室外機１は、室外熱交換器６と、圧縮機（図示省略）と、膨張弁（図示省略）と四路弁（図示省略）等を備え、室内機は、室内熱交換器（図示省略）等を備える。そして、上記電装品箱２には、各種の電装品が実装される基板（プリント基板）が収納され、また、上記室内機も電装品箱を有し、この電装品箱にも、各種の電装品が実装される基板（プリント基板）が収納されている。
【００２０】
ところで、室外機１の電装品箱はこの発明に係る端子盤３を備え、この端子盤３は端子台４・・を有している。端子盤３は、図４〜図６に示すように、略矩形状の樹脂基板５からなり、この樹脂基板５の途中に複数の上記端子台４・・が設けられている。この場合の樹脂基板５は、図１に示すように、電装品箱の内部から引出された電線（図示省略）に接続される導電性フレーム８と、この導電性フレーム８を被覆する樹脂被覆部９とからなる。また、この樹脂基板５には、段部１０を設けて高位部１１と低位部１２を形成し、この高位部１１の段部１０近傍に、上記導電性フレーム８を露出させた電線接続用の上記端子台４を設けている。
【００２１】
すなわち、樹脂基板５は、図６に示すように、第１部１３と、この第１部１３よりも低位の第２部１４と、この第２部よりも低位の第３部１５を有し、第１部１３の第２部１４側の端部に、複数の端子台４・・を形成し、第２部１３の第３部１５側の端部に複数の端子台４・・を形成している。このため、第１部１３に設けられる端子台４からみれば、第１部１３が高位部１１となると共に、第２部１４が低位部１２となるが、第２部１４に設けられる端子台４からみれば、第２部１４が高位部１１となると共に、第３部１５が低位部１２となる。
【００２２】
また、端子台４は、樹脂被覆部９の一部を剥離して導電性フレーム８の一部を露出させた露出部１６と、この露出部１６を周りに立設される仕切り壁１７（図４と図６参照）とからなり、後述する電線（ハーネス）１８の先端導体露出部１９が嵌合状となる接続部２０が形成される。このため、端子台４としては、接続部２０が１個の場合もあり、２個以上の複数個の場合もある。さらに、仕切り壁１７を有さない場合もある。さらに、図７等に示すように、各露出部１６に対応する樹脂残部にはねじ孔２１が設けられると共に、これに対応して導電性フレーム８には貫通孔２２が設けられている。そのため、端子台４の露出部１６に電線１８の先端導体露出部１９を重ね合わせた状態として、この先端導体露出部１９に設けられる貫孔及び導電性フレーム８の貫通孔２２に、端子ビス２３を挿通すると共に、ねじ孔２１にこの端子ビス２３を螺着させることによって、この電線１８の先端導体露出部１９を導電性フレーム８の露出部１６の表面（電線接続面）に接続することができる。なお、上記ねじ孔２１を設ける場合、ナット部材をこの基板５に埋設すればよい。
【００２３】
この場合、図７に示すように、高位部１１側の端子台４の上記低位部１２表面からの高さＨ１を、この低位部１２側の端子台４の仕切り壁１７高さＨ２以上とている。これによって、電線１８は、低位部１２の仕切り壁１７に邪魔されることなく端子台４から直線状態を維持したまま引き出すことができ、先端導体露出部１９を端子台４に対していわゆる面接触状態で接続することができる。また、仕切り壁１７を設けない場合においても、図１に示すように、高位部１１側の端子台４の上記低位部１２表面からの高さＨ１を、接続される電線１８の樹脂被覆層２４が低位部１２表面に接触することなくこの電線１８を引き出すことができるように設定する。なお、図１２に示すように、高位部１１と低位部１２とを設けない場合、結線作業において、電線１８の樹脂被覆層２４が邪魔して、先端導体露出部１９を端子台４に対して斜め方向から接続することになり、先端導体露出部１９と端子台４とが面接触状にならず、いわゆる点接触状となって、不安定な接続となると共に、作業性に劣るものとなる。
【００２４】
ところで、上記基板５の各短片２５、２５（具体的には、第２部１４の短辺側）には、図４と図５に示すように、枢支軸２６、２６が設けられている。また、電装品箱２の本体部２７は、図２の簡略図で示すように、底壁２９と、この底壁２９から立設される周壁３０とを備え、周壁３０は、短壁部３０ａと一対の長壁部３０ｂ、３０ｂとを有し、短壁部３０ａに対面（対向）する一方の短辺側に側方開口部２８が形成される。そして、長壁部３０ｂ、３０ｂの開口端（側方開口部２８側の端部）に図示省略の嵌合部が形成され、この嵌合部に上記枢支軸２６、２６が着脱自在に嵌合されている。これによって、端子盤３はこの枢支軸２６、２６を中心に図２に示す矢印Ｄ、Ｅのように揺動して、図３の実線で示すように、開口部２８を塞ぐことができる。なお、嵌合部の軸心方向を底壁２９の短辺に沿って配設すると共に、嵌合部の一部に切欠部を形成すれば、枢支軸２６をこの切欠部を介して簡単に嵌合部に嵌合させることができる。
【００２５】
また、電装品箱２の本体部２７には、図９に示すように、係止爪３１が設けられ、側方開口部２８をこの端子盤３にて塞いだ状態で、基板５の上方に位置する長辺（第１部１３側の長辺）の一部（図４と図５に示す突起部Ｔ）がこの係止爪３１に係止して、この状態が維持される。なお、係止爪３１は、図２においては図示省略しているが、例えば、側方開口部２８の上部に、図９に示すように天井壁３２を設け、この天井壁３２の一部に設けることができる。また、係止爪３１としては、図９の仮想線で示すように、揺動可能な本体片３１ａと、この本体片３１ａの先端に設けられる係止部３１ｂとから構成することができる。
【００２６】
このため、端子盤３の開状態（枢支軸２６、２６が嵌合部に嵌合された状態であって、水平状に配置された状態）において、この端子盤３を矢印Ｄのように起立させていけば、係止部３１ｂを通過する際に、本体片３１ａが仮想線のように変形して係止部３１ｂを乗り越えることによって、本体片３１ａが実線で示すように復帰し、この係止部３１ｂに端子盤３が係止することになる。すなわち、この係止状態では、端子盤３の矢印Ｅ方向への揺動が規制され、この端子盤３にて本体部２７の側方開口部２８を塞ぐことになる。なお、この係止状態から、係止爪３１の本体片３１ａを仮想線のように、上方へ湾曲させれば、係止状態が解除され、端子盤３の矢印Ｅ方向への揺動が可能となって、側方開口部２８が開放される開状態とすることができる。そして、この開状態においては、枢支軸２６、２６が切欠部を介して嵌合部から外れる方向に外力を作用させることによって、この端子盤３の本体部２７から取外すことができる。
【００２７】
また、本体部２７に係止爪３１を設けることなく、図１０に示すように、端子盤３に係止爪３３を設けてもよい。すなわち、本体部２７に、この係止爪３３が係脱自在に係止する係止孔等を設け、端子盤３の閉状態で係止爪３３がこの係止孔に係止してこの状態が維持されればよい。なお、この係止爪３３も本体片３３ａと係止部３３ｂとから構成することができる。
【００２８】
ところで、この端子盤３を取付ける場合、側方開口部２８をこの端子盤３にて塞いだ状態では、図３に示すように、端子台４が外方側に向くと共に、図７に示すように、上端と下端とを結ぶ直線Ｌが鉛直線上に配置される。このため、各端子台４は鉛直面に対して傾斜することになって、低位部１２に向うに従って端子盤支持面Ｋから離間し、この端子盤３を取付けた際には、各端子台４は下方に向かって外方へ拡開することになる（各端子台４は下方ほど外方へと傾斜することになる）。なお、端子盤支持面Ｋは、短辺２５、２５（図４参照）に垂下される略三角形状の板部材３４の端面にて形成されて、上記直線Ｌに対して平行に配置される。そして、上記仮止めされた状態では、この端子盤支持面Ｋは、本体部２７の長壁部３０ｂの端部に設けられた図示省略の位置決め部に当接する。
【００２９】
このように、端子台４が下方に向かって外方へ拡開することになれば、電線１８を端子台４に対して結線作業する場合、端子台４が鉛直面に対して下方ほど外方へと傾斜しており、作業の容易化を図ることができる。しかも、電線１８は、低位部１２の仕切り壁１７に邪魔されることなく端子台４から直線状態を維持したまま引き出すことができる。このため、この端子盤３が取付けられた際には、面接触状態での結線を安定して行うことができ、結線不良を解消することができる。
【００３０】
これに対して、図８に示すように、閉状態としたときに、上端と下端とを結ぶ直線Ｌが鉛直面に対して傾斜して、端子台４が鉛直面上に配置されるようにすることも可能である。この場合も、低位部１２の仕切り壁１７に邪魔されることなく端子台４から電線を引き出すことができるが、端子台４の電線接続面が鉛直方向に沿うものとなって、その結線作業は上記図７に示す状態のものよりも行い難いものとなっている。
【００３１】
また、係止爪３１、３３による仮止め後は、固定用のビス（図示省略）にて端子盤３は本体部２７に固定（いわゆる本固定）される。例えば、底壁２９や周壁３０から突出片等を突設すると共に、この突出片等にねじ部に設け、端子盤３の外方側から固定用のビスを螺着させることによって、固定することができる。
【００３２】
さらに、図４〜図６に示す端子盤３によれば、その基板５を第１部１３と第２部１４と第３部１５とに分離して、２行（列）にわたって端子台４を設けることができ、複数（多数）の入出力端子を有する機器に対応することができる。
【００３３】
ところで、図３に示すように、上記基板７には種々の電装品４５・・が実装されるが、この場合、電装品実装面４０が下面側に配置されている。すなわち、本体部２７に図示省略の基板支持部が設けられ、この基板支持部に基板７が水平状に支持固定される。なお、この電装品箱２は放熱フィン４３を有し、発熱部品４２となる電装品４５から発生する熱を放出するようにしている。また、電装品実装面４０には、外部電線３８のコネクタ３９が接続される接続部（コネクタ）４４も設けられている。
【００３４】
上記電装品箱によれば、端子盤３を揺動自在に本体部２７に取付けることによって、図３の実線で示すように、側方開口部２８を塞ぐ状態とすることができ、この状態では、この側方開口部２８からの異物（塵や小動物等）の侵入を防止することができ、しかも基板７はその電装品実装面４０が下面側に配置された状態であるので、例え、室外機１のケ−シング内に異物が進入しても、電装品実装面４０に異物が堆積しにくいものとなっている。このため、異物の堆積によるトラッキングを防止することができる。
【００３５】
また、図３の仮想線のように、端子盤３が矢印Ｅ方向に揺動して開状態となれば、開口部２８が開放されることになる。そして、この開状態（開放状態）では、その開口部２８を介して、外部電線３８のコネクタ３９の接続作業等の内部作業（ハーネスの脱着作業、部品や基板導体パターンの外観確認作業、温度の測定作業、計測器への接続作業等）を行うことができる。しかも、このように、開口部２８を開状態としても、端子盤３は本体部２７から外れないように維持することができる。そのため、作業者がこの端子盤３を手でもつ必要がなく、その内部作業を確実に行うことができる。これに対して、端子盤３が本体部２７から外れる場合、内部作業において、作業者が端子盤３を手で持ったり、この取外された端子盤３を他の部位に載置したりする必要がある。端子盤３を手で持った状態では、きわめて作業が行いにくいものであり、端子盤３を他の部位に載置すれば、端子盤３がその載置部位から落下して損傷したりするおそれがある。
【００３６】
さらに、端子台３は、樹脂基板５の埋設された導電性フレーム８の一部を露出させることによって形成するので、端子台３と基板７とを、図３に示すように、本体部２７の内部に配線されるハーネス４１にて接続することができる。すなわち、端子台３の裏面（内面）３ａにタブ端子を設け、この端子を介して接続するようにすればよい。このようにすれば、ハーネス４１を端子盤４の外面３ｂ側から内面３ａ側へ配線する必要がなくなり、電線（ハーネス）のいわゆる引き回し配線が行われなくなって、ノイズが発生するという問題を解消することができる。
【００３７】
次に、図１１は他の端子盤３を示し、この場合、高位部１１の段部１０近傍から、この高位部１１と段部１０とで構成するコーナ部３５に至る範囲において、導電性フレーム８を露出させて端子台４を形成している。すなわち、端子台４を形成する導電性フレーム８の露出部１６が、高位部１１側の第１部１６ａと、この第１部１６ａから湾曲部１６ｂを介して略９０°だけ屈曲した第２部１６ｃとからなる。このため、段部１０側の樹脂被覆部９の導電性フレーム８よりも外方側の端縁３６が、この露出部１６の第１部１６ａに達しない状態となっている。つまり、第１部１６ａの表面（電線接続面）よりこの端縁３６が所定寸法Ｓだけ後退している。
【００３８】
また、高位部１１と段部１０とのコーナ部３５の裏面側には、補強部材３７が付設されている。この場合の補強部材３７は略直角二等辺三角形状などの三角形状リブからなる。なお、この補強部材３７は樹脂被覆部９を形成する場合に一体成形してもよく、樹脂被覆部９の成形後、別途補強部材３７を固着するようにしてもよい。
【００３９】
この図１１の端子盤３によれば、導電性フレーム８の露出部１６が、高位部１１側の第１部１６ａと、この第１部１６ａから湾曲部１６ｂを介して略９０°だけ屈曲した第２部１６ｃとからなるので、この端子盤３を製造する場合、第１部１６ａの表面への樹脂の付着を防止することができる。すなわち、この端子盤３を製造する場合、導電性フレーム８に樹脂を被覆することによって、基板５を形成するものであるので、成形時において、段部１０側の樹脂が第１部１６ａの表面（電線接続面）側に進入するのを防止することができる。これによって、端子台３と電線１８との接続の信頼性の向上を図ることができる。また、強度的に劣るコーナ部（導電性フレーム８が折り曲げ加工されているので、このコーナ部が強度的に劣るとおもわれる部位）を、補強部材３７にて補強することができ、端子盤３としての強度の向上を達成することができる。
【００４０】
そして、この図１１に示す端子盤３であっても、樹脂基板５に段部１０を設けて高位部１１と低位部１２を形成し、この高位部１１の段部１０近傍に、導電性フレーム８を露出させた電線接続用の端子台４を形成するものであるので、電線（ハーネス）をこの端子台４に接続する場合、低位部１２にこの電線１８に樹脂被覆部を対応させることができ、これによって、この樹脂被覆部２４からこの樹脂被覆部２４から露出している先端導体部１９を直線状に維持することができ、先端導体部１９を端子台４に対していわゆる面接触で接続することができる。なお、この場合でも、仕切り壁１７を設ける場合、高位部１１側の端子台４の低位部１２表面からの高さＨ１を、この低位部１２側の端子台４の仕切り壁１７高さＨ２以上とする。このため、結線作業を、低部位１２に端子台５に邪魔されることなく、安定して行うことができる。
【００４１】
以上にこの発明の具体的な実施の形態について説明したが、この発明は上記形態に限定されるものではなく、この発明の範囲内で種々変更して実施することができる。例えば、設けられる端子台４の数の増減は、この端子盤３の用途等に応じて可能であり、高位部１１側の端子台４の低位部１２表面からの高さＨ１としても、接続される電線１８を湾曲乃至屈曲させることなく直線状を維持できる範囲に設定することができる。また、導電性フレーム８の形状としても図４等に示すパターンに限るものではなく、所望の種々のものとすることができる。さらに、図例では、段部１０を２個設けることによって、端子台４を２行配置しているが、段部１０を１個として端子台４を１行（列）のみに配置するものであっても、逆に段部１０を３個以上として、端子台４を３行（列）以上に配置するものでもよい。
【００４２】
また、端子盤３を揺動可能に取付ける場合、端子盤３の揺動角度（揺動範囲）α（図３参照）としては任意に設定するこができる。この場合、内部作業の作業性や内部のハーネス４１の長さ等を考慮して設定する必要があり、例えば、７０°以上１８０°未満等に設定することができる。さらに、端子盤３を揺動可能に取付けずに、着脱可能に本体部２７に取付けるようにしてもよい。なお、この端子盤３を使用する機器としては、空気調和機の室外機に限るものではなく、複数の入出力端子を必要とする各種の機器に使用（適用）することができる。
【００４３】
【発明の効果】
請求項１の端子盤によれば、端子台をこの樹脂基板に対して別部材として形成する必要がなく、端子台の取付け作業を省略することができる。これによって、この端子盤を使用する空気調和機等の組立作業の簡略化を図ることができる。また、電線の樹脂被覆部からこの樹脂被覆部から露出している先端導体部を直線状に維持することができ、先端導体部を端子台に対していわゆる面接触で接続することができる。これによって、接点の信頼性が向上して、この端子台を使用した通信を安定して行うことができる。さらに、電線の短縮化（短ハーネス化）を達成できて、いわゆるハーネスの引き回しを解消することができ、ノイズ発生を防止することができる。また、端子台の電線接続面（高位部に対応する導電性フレーム露出面）に樹脂が入り込まず、端子台と電線との接続性の向上を図ることができる。これによって、高品質の製品（端子盤）を提供することができる。
【００４４】
請求項２の端子盤によれば、この端子盤をその支持面が鉛直面となるように配置した場合、端子台はこの鉛直面に対して傾斜することになり、この端子台に対する結線作業性の向上を図ることができる。
【００４６】
請求項３の端子盤によれば、この端子盤に複数の端子台を設けることができ、いわゆるマルチタイプの空気調和機に対応することができる。また、高位部側の端子台に電線（ハーネス）を接続する際、この低位部側の端子台の仕切り壁が邪魔にならず、このような場合であっても、電線を折り曲げることなく接続することができる。これによって、複数の端子台毎に安定した結線作業を行うことができると共に、信頼性の高い接続となる。
【００４７】
請求項４の電装品箱によれば、この端子台に対する結線作業性及び接点（ハーネス接点）の信頼性の向上を図ることができる。
【００４８】
請求項５の電装品箱によれば、開口部から内部作業（ハーネスの脱着作業、部品や基板導体パターンの外観確認作業、温度の測定作業、計測器への接続作業等）を行うことができ、内部作業性の向上を図ることができる。また、端子台４に対する結線作業性及び接点の信頼性の向上を図ることができる。
【図面の簡単な説明】
【図１】この発明の端子盤の実施形態を示す簡略断面図である。
【図２】上記端子盤が付設される電装品箱の簡略斜視図である。
【図３】この発明の電装品箱の実施形態を示す簡略図である。
【図４】上記端子盤の平面図である。
【図５】上記端子盤の底面図である。
【図６】上記端子盤の要部斜視図である。
【図７】上記端子盤の電線接続状態の要部断面図である。
【図８】上記端子盤の他の電線接続状態の要部断面図である。
【図９】上記端子盤の閉状態を示す簡略図である。
【図１０】上記端子盤の他の閉状態を示す簡略図である。
【図１１】この発明の端子盤の他の実施形態を示す要部断面図である。
【図１２】この発明の端子盤の比較例を示す要部断面図である。
【図１３】従来の端子台が付設された電装品箱を備える室外機の簡略斜視図である。
【図１４】従来の端子台を使用した電線接続状態を説明する簡略図である。
【符号の説明】
４  端子台
５  樹脂基板
８  導電性フレーム
１０  段部
１１  高位部
１２  低位部
１７  仕切り壁
３５  コーナ部
【図１】
0003578130.tif 000002
【図２】
0003578130.tif 000003
【図３】
0003578130.tif 000004
【図４】
0003578130.tif 000005
【図５】
0003578130.tif 000006
【図６】
0003578130.tif 000007
【図７】
0003578130.tif 000008
【図８】
0003578130.tif 000009
【図９】
0003578130.tif 000010
【図１０】
0003578130.tif 000011
【図１１】
0003578130.tif 000012
【図１２】
0003578130.tif 000013
【図１３】
0003578130.tif 000014
【図１４】
0003578130.tif 000015